(57)【要約】【課題】  連続点灯して温度が上昇した場合にも、発光全体の色バランスが変化してしまうのを防止するとともに、効率良く放熱できる光源装置を提供する。【解決手段】  中心部の発光部Ａ２２、Ａ２３、Ａ３２、Ａ３３には、最も短波長の蛍光を発光する蛍光体を用い、周辺部の発光部Ａ１１、Ａ１２、Ａ１３、Ａ１４、Ａ２１、Ａ２４、Ａ３１、Ａ３４、Ａ４１、Ａ４２、Ａ４３、Ａ４４には、中心部の発光部に用いられる蛍光体の蛍光の波長よりも長波長の蛍光を発光する蛍光体を用い、周辺部の発光部のうちの隅部の発光部Ａ１１、Ａ１４、Ａ４１、Ａ４４には、最も長波長の蛍光を発光する蛍光体を用いる。【選択図】      図３
2013164898.tif 000002
【特許請求の範囲】
【請求項１】
発光部がＮ×Ｍ（Ｎ≧３、Ｍ≧３）の２次元配列で配置されている光源装置であって、
各発光部には、同じ温度特性および同じ発光特性を有し、紫外光から可視光までの波長領域のうちの所定の波長の光を発光する発光素子が設けられ、
また、前記２次元配列の発光部には、前記発光素子からの光により励起され前記発光素子の発光波長よりも長波長の蛍光を発光する複数種類の蛍光体が用いられ、
前記２次元配列の発光部のうちの中心部の発光部には、複数種類の蛍光体のうちで最も短波長の蛍光を発光する蛍光体を用い、
前記２次元配列の発光部のうちの周辺部の発光部には、中心部の発光部に用いられる蛍光体の蛍光の波長よりも長波長の蛍光を発光する蛍光体を用い、
前記周辺部の発光部のうちの隅部の発光部には、前記複数種類の蛍光体のうちで最も長波長の蛍光を発光する蛍光体を用いることを特徴とする光源装置。
【請求項２】
発光部がＮ×Ｍ（Ｎ≧３、Ｍ≧３）の２次元配列で配置されている光源装置であって、
各発光部には、同じ温度特性および同じ発光特性を有し、青色光を発光する発光素子が設けられ、
前記２次元配列の発光部のうちの中心部の発光部には、蛍光体を用いず、
前記２次元配列の発光部のうちの周辺部の発光部には、前記発光素子の発光波長よりも長波長の蛍光を発光する複数種類の蛍光体を用い、
前記周辺部の発光部のうちの隅部の発光部には、前記複数種類の蛍光体のうちで最も長波長の蛍光を発光する蛍光体を用いることを特徴とする光源装置。
【請求項３】
請求項１または請求項２記載の光源装置において、前記周辺部の発光部のうちの隅部以外の発光部には、少なくとも１種類の蛍光体が用いられ、光源装置の発光部がＮ×Ｍ（Ｍ＝Ｎ、Ｎ≧３）の２次元配列で配置されているときに、前記少なくとも１種類の蛍光体のうちの同じ種類の蛍光体または同じ種類の蛍光体群は、前記２次元配列の発光部において、均等に分散配置されていることを特徴とする光源装置。
【請求項４】
請求項１乃至請求項３のいずれか一項に記載の光源装置において、前記２次元配列の発光部のうちの同色の発光部に設けられた前記発光素子は、電気的に直列に接続されていることを特徴とする光源装置。
【発明の詳細な説明】
【技術分野】
【０００１】
本発明は、光源装置に関する。
【背景技術】
【０００２】
従来、特許文献１に示されているような複合光源、特許文献２に示されているような照明装置が知られている。
【０００３】
すなわち、特許文献１に示されている複合光源は、図１に示すように、複数のサブモジュール（１０２〜１０４）を有し、各サブモジュールは、光コリメート化兼混合構造体（１０２ａ〜１０４ａ）と、複数のカラー光ユニット（１０９ａ〜１０９ｃ）から成る光ユニットグループ（１０５〜１０７）とを有している。そして、光ユニットグループから発光される光を均質化する相互作用を得るために、異なる光ユニットグループ内の所定の光ユニット位置を見た場合に、その位置に異なるカラーの光ユニットが取り付けられるようになっている。
【０００４】
また、特許文献２に示されている照明装置は、図２に示すように、白色光を得るために最低３個以上の発光波長の異なるＬＥＤ２０６、２０７、２０８、２０９を用いている。
【先行技術文献】
【特許文献】
【０００５】
【特許文献１】特表２００９−５４４１３３号公報
【特許文献１】特許第４３７６４６４号公報
【発明の概要】
【発明が解決しようとする課題】
【０００６】
しかしながら、特許文献１に示されている複合光源では、サブモジュール毎にカップのような構造体が必要となり、多くの光束が必要で総ＬＥＤ数が多い場合、光源全体の大きさが大きくなってしまうという問題があった。また、サブモジュールを複数個用いて１つのモジュールを構成する場合に、電流が多く発熱の多い素子が中心部にくる場合があり、同色を受け持つ素子ごとの温度が異なり、連続して点灯した場合に部分的な温度上昇により、発光全体の色バランスが変化してしまい、また、効率良く放熱することができないという問題があった。
【０００７】
また、特許文献２に示されている照明装置では、白色光を得てその色の割合を可変できるようにするため、様々な発光波長を持つＬＥＤを使用しているが、赤色やオレンジ色で発光するＬＥＤは、青色ＬＥＤと素子構造が異なり、温度特性が悪くなるため、連続点灯していると温度が上昇し、発光全体の色バランスが変化してしまうという問題があった。
【０００８】
本発明は、連続点灯して温度が上昇した場合にも、発光全体の色バランスが変化してしまうのを防止できるとともに、効率良く放熱することができ、さらには、装置全体の小型化を図ることの可能な光源装置を提供することを目的としている。
【課題を解決するための手段】
【０００９】
上記目的を達成するために、請求項１記載の発明は、発光部がＮ×Ｍ（Ｎ≧３、Ｍ≧３）の２次元配列で配置されている光源装置であって、
各発光部には、同じ温度特性および同じ発光特性を有し、紫外光から可視光までの波長領域のうちの所定の波長の光を発光する発光素子が設けられ、
また、前記２次元配列の発光部には、前記発光素子からの光により励起され前記発光素子の発光波長よりも長波長の蛍光を発光する複数種類の蛍光体が用いられ、
前記２次元配列の発光部のうちの中心部の発光部には、複数種類の蛍光体のうちで最も短波長の蛍光を発光する蛍光体を用い、
前記２次元配列の発光部のうちの周辺部の発光部には、中心部の発光部に用いられる蛍光体の蛍光の波長よりも長波長の蛍光を発光する蛍光体を用い、
前記周辺部の発光部のうちの隅部の発光部には、前記複数種類の蛍光体のうちで最も長波長の蛍光を発光する蛍光体を用いることを特徴としている。
【００１０】
また、請求項２記載の発明は、発光部がＮ×Ｍ（Ｎ≧３、Ｍ≧３）の２次元配列で配置されている光源装置であって、
各発光部には、同じ温度特性および同じ発光特性を有し、青色光を発光する発光素子が設けられ、
前記２次元配列の発光部のうちの中心部の発光部には、蛍光体を用いず、
前記２次元配列の発光部のうちの周辺部の発光部には、前記発光素子の発光波長よりも長波長の蛍光を発光する複数種類の蛍光体を用い、
前記周辺部の発光部のうちの隅部の発光部には、前記複数種類の蛍光体のうちで最も長波長の蛍光を発光する蛍光体を用いることを特徴としている。
【００１１】
また、請求項３記載の発明は、請求項１または請求項２記載の光源装置において、前記周辺部の発光部のうちの隅部以外の発光部には、少なくとも１種類の蛍光体が用いられ、光源装置の発光部がＮ×Ｍ（Ｍ＝Ｎ、Ｎ≧３）の２次元配列で配置されているときに、前記少なくとも１種類の蛍光体のうちの同じ種類の蛍光体または同じ種類の蛍光体群は、前記２次元配列の発光部において、均等に分散配置されていることを特徴としている。
【００１２】
また、請求項４記載の発明は、請求項１乃至請求項３のいずれか一項に記載の光源装置において、前記２次元配列の発光部のうちの同色の発光部に設けられた前記発光素子は、電気的に直列に接続されていることを特徴としている。
【発明の効果】
【００１３】
請求項１、請求項３、請求項４記載の発明によれば、発光部がＮ×Ｍ（Ｎ≧３、Ｍ≧３）の２次元配列で配置されている光源装置であって、
各発光部には、同じ温度特性および同じ発光特性を有し、紫外光から可視光までの波長領域のうちの所定の波長の光を発光する発光素子が設けられ、
また、前記２次元配列の発光部には、前記発光素子からの光により励起され前記発光素子の発光波長よりも長波長の蛍光を発光する複数種類の蛍光体が用いられ、
前記２次元配列の発光部のうちの中心部の発光部には、複数種類の蛍光体のうちで最も短波長の蛍光を発光する蛍光体を用い、
前記２次元配列の発光部のうちの周辺部の発光部には、中心部の発光部に用いられる蛍光体の蛍光の波長よりも長波長の蛍光を発光する蛍光体を用い、
前記周辺部の発光部のうちの隅部の発光部には、前記複数種類の蛍光体のうちで最も長波長の蛍光を発光する蛍光体を用いるので、連続点灯して温度が上昇した場合にも、発光全体の色バランスが変化してしまうのを防止できるとともに、効率良く放熱することができ、さらには、装置全体の小型化を図ることができる。
【００１４】
また、請求項２、請求項３、請求項４記載の発明によれば、発光部がＮ×Ｍ（Ｎ≧３、Ｍ≧３）の２次元配列で配置されている光源装置であって、
各発光部には、同じ温度特性および同じ発光特性を有し、青色光を発光する発光素子が設けられ、
前記２次元配列の発光部のうちの中心部の発光部には、蛍光体を用いず、
前記２次元配列の発光部のうちの周辺部の発光部には、前記発光素子の発光波長よりも長波長の蛍光を発光する複数種類の蛍光体を用い、
前記周辺部の発光部のうちの隅部の発光部には、前記複数種類の蛍光体のうちで最も長波長の蛍光を発光する蛍光体を用いるので、連続点灯して温度が上昇した場合にも、発光全体の色バランスが変化してしまうのを防止できるとともに、効率良く放熱することができ、さらには、装置全体の小型化を図ることができる。
【００１５】
特に、請求項３記載の発明によれば、請求項１または請求項２記載の光源装置において、前記周辺部の発光部のうちの隅部以外の発光部には、少なくとも１種類の蛍光体が用いられ、光源装置の発光部がＮ×Ｍ（Ｍ＝Ｎ、Ｎ≧３）の２次元配列で配置されているときに、前記少なくとも１種類の蛍光体のうちの同じ種類の蛍光体または同じ種類の蛍光体群は、前記２次元配列の発光部において、均等に分散配置されているので、前記光源装置内における温度が均一化されるため、効率良く放熱する上で最も有利である。
【００１６】
また、請求項４記載の発明によれば、請求項１乃至請求項３のいずれか一項に記載の光源装置において、前記２次元配列の発光部のうちの同色の発光部に設けられた前記発光素子は、電気的に直列に接続されているので、個々の色の調整が可能となる。
【図面の簡単な説明】
【００１７】
【図１】特許文献１の複合光源を示す図である。
【図２】特許文献２の照明装置を示す図である。
【図３】本発明の光源装置の一構成例を示す斜視図である。
【図４】本発明の光源装置の一構成例を示す断面図である。
【図５】図３の発光部の上面図である。
【図６】ある色温度の白色光を得るために必要な各色部担当の発光素子（ＬＥＤ）の消費電流の実験データを示す図である。
【図７】図５の蛍光体Ｈ１１〜Ｈ４４の配置例を示す図である。
【図８】図５の蛍光体Ｈ１１〜Ｈ４４の配置例を示す図である。
【発明を実施するための最良の形態】
【００１８】
以下、本発明の実施形態を図面に基づいて説明する。
【００１９】
図３は、本発明の光源装置の一構成例を示す斜視図である。また、図４（ａ），（ｂ）は、それぞれ、図３のＣ−Ｃ線、Ｄ−Ｄ線における断面図である。また、図５は図３の発光部の上面図である。
【００２０】
図３、図４（ａ），（ｂ）を参照すると、この光源装置１は、枠体１０を有し、枠体１０のＮ×Ｍ（Ｎ≧３、Ｍ≧３）の２次元配列の凹部内に、発光部ＡがＮ×Ｍ（Ｎ≧３、Ｍ≧３）の２次元配列で配置されている。すなわち、図３の例では、発光部Ａは、４×４の２次元配列Ａ１１〜Ａ４４で配置されている。
【００２１】
ここで、各発光部Ａ１１〜Ａ４４には、図４（ａ），（ｂ）にその一部が示されているように、同じ温度特性および同じ発光特性を有し、紫外光から可視光までの波長領域のうちの所定の波長の光を発光する発光素子Ｆ１１〜Ｆ４４がそれぞれ設けられている。具体的に、発光素子Ｆ１１〜Ｆ４４には、例えばＡｌｘＩｎｙＧａｚＮ（０≦ｘ≦１、０≦ｙ≦１、０≦ｚ≦１、ｘ＋ｙ＋ｚ＝１）系のＬＥＤを用いることができる。ＡｌｘＩｎｙＧａｚＮ（０≦ｘ≦１、０≦ｙ≦１、０≦ｚ≦１、ｘ＋ｙ＋ｚ＝１）系のＬＥＤは、ｘ、ｙ、ｚの組成比に応じて、その発光波長が紫外光から緑色まで可変となっており、ｘ、ｙ、ｚの組成比を所定のものに設定することで、例えば、各発光素子Ｆ１１〜Ｆ４４を紫外光発光のものにすることもできるし、各発光素子Ｆ１１〜Ｆ４４を青色光発光のものにすることもできる。
【００２２】
また、２次元配列の発光部Ａ１１〜Ａ４４には、図４（ａ），（ｂ）、図５に示すように、発光素子Ｆ１１〜Ｆ４４からの光により励起され発光素子Ｆ１１〜Ｆ４４の発光波長よりも長波長の蛍光を発光する蛍光体Ｈ１１〜Ｈ４４が用いられている。
【００２３】
ここで、蛍光体Ｈ１１〜Ｈ４４には、複数種類の蛍光体が用いられ、
各発光素子Ｆ１１〜Ｆ４４が例えば紫外光発光のものである場合には、
２次元配列の発光部Ａ１１〜Ａ４４のうちの中心部の発光部Ａ２２、Ａ２３、Ａ３２、Ａ３３には、蛍光体Ｈ２２、Ｈ２３、Ｈ３２、Ｈ３３として、複数種類の蛍光体のうちで最も短波長の蛍光（例えば青色光）を発光する蛍光体（例えば青色蛍光体）を用い、
２次元配列の発光部Ａ１１〜Ａ４４のうちの周辺部の隅部を除いた発光部Ａ１２、Ａ１３、Ａ２１、Ａ２４、Ａ３１、Ａ３４、Ａ４２、Ａ４３には、蛍光体Ｈ１２、Ｈ１３、Ｈ２１、Ｈ２４、Ｈ３１、Ｈ３４、Ｈ４２、Ｈ４３として、中心部の発光部Ａ２２、Ａ２３、Ａ３２、Ａ３３に用いられる蛍光体Ｈ２２、Ｈ２３、Ｈ３２、Ｈ３３の蛍光の波長よりも長波長の蛍光（例えば黄色光や緑色光）を発光する蛍光体（例えば黄色蛍光体や緑色蛍光体）を用い、
前記周辺部の発光部Ａ１１、Ａ１２、Ａ１３、Ａ１４、Ａ２１、Ａ２４、Ａ３１、Ａ３４、Ａ４１、Ａ４２、Ａ４３、Ａ４４のうちの隅部の発光部Ａ１１、Ａ１４、Ａ４１、Ａ４４には、蛍光体Ｈ１１、Ｈ１４、Ｈ４１、Ｈ４４として、前記複数種類の蛍光体のうちで最も長波長（例えば赤色光）の蛍光を発光する蛍光体（例えば赤色蛍光体）を用いるのが好ましい。
【００２４】
また、各発光素子Ｆ１１〜Ｆ４４が例えば青色光発光のものである場合には、
２次元配列の発光部Ａ１１〜Ａ４４のうちの中心部の発光部Ａ２２、Ａ２３、Ａ３２、Ａ３３には、蛍光体を用いず（すなわち、蛍光体のかわりに、例えば、蛍光体と類似の光学特性（発光特性）をもつ、例えば拡散材を混入した透明な材料（例えば透明なシリコーン樹脂）などをＨ２２、Ｈ２３、Ｈ３２、Ｈ３３の代わりに用い、発光部Ａ２２、Ａ２３、Ａ３２、Ａ３３からは、発光素子Ｆ２２、Ｆ２３、Ｆ３２、Ｆ３３からの青色光を出射させ）、
２次元配列の発光部Ａ１１〜Ａ４４のうちの周辺部の隅部を除いた発光部Ａ１２、Ａ１３、Ａ２１、Ａ２４、Ａ３１、Ａ３４、Ａ４２、Ａ４３には、蛍光体Ｈ１２、Ｈ１３、Ｈ２１、Ｈ２４、Ｈ３１、Ｈ３４、Ｈ４２、Ｈ４３として、中心部の発光部Ａ２２、Ａ２３、Ａ３２、Ａ３３の発光素子Ｆ２２、Ｆ２３、Ｆ３２、Ｆ３３からの青色光の波長よりも長波長の蛍光（例えば黄色光や緑色光）を発光する蛍光体（例えば黄色蛍光体や緑色蛍光体）を用い、
前記周辺部の発光部Ａ１１、Ａ１２、Ａ１３、Ａ１４、Ａ２１、Ａ２４、Ａ３１、Ａ３４、Ａ４１、Ａ４２、Ａ４３、Ａ４４のうちの隅部の発光部Ａ１１、Ａ１４、Ａ４１、Ａ４４には、蛍光体Ｈ１１、Ｈ１４、Ｈ４１、Ｈ４４として、前記複数種類の蛍光体のうちで最も長波長（例えば赤色光）の蛍光を発光する蛍光体（例えば赤色蛍光体）を用いるのが好ましい。
【００２５】
より具体的に、各発光素子Ｆ１１〜Ｆ４４が紫外光発光のものである場合には、赤色蛍光体には、ＣａＡｌＳｉＮ３：Ｅｕ２＋、Ｃａ２Ｓｉ５Ｎ８：Ｅｕ２＋、Ｌａ２Ｏ２Ｓ：Ｅｕ３＋、ＫＳｉＦ６：Ｍｎ４＋、  ＫＴｉＦ６：Ｍｎ４＋等を用いることができ、黄色蛍光体には、Ｙ３Ａｌ５Ｏ１２：Ｃｅ３＋  （ＹＡＧ）、（Ｓｒ，Ｂａ）２ＳｉＯ４：Ｅｕ２＋、Ｃａｘ（Ｓｉ，Ａｌ）１２（Ｏ，Ｎ）１６：Ｅｕ２＋等を用いることができ、緑色蛍光体には、（Ｓｉ，Ａｌ）６（Ｏ，Ｎ）：Ｅｕ２＋、ＢａＭｇＡｌ１０Ｏ１７：Ｅｕ２＋，Ｍｎ２＋、（Ｂａ，Ｓｒ）２ＳｉＯ４：Ｅｕ２＋等を用いることができ、青色蛍光体には、（Ｓｒ，Ｃａ，Ｂａ，Ｍｇ）１０（ＰＯ４）６Ｃｌ２：Ｅｕ２＋、ＢａＭｇＡｌ１０Ｏ１７：Ｅｕ２＋、ＬａＡｌ（Ｓｉ，Ａｌ）６（Ｎ，Ｏ）１０：Ｃｅ３＋等を用いることができる。
【００２６】
また、各発光素子Ｆ１１〜Ｆ４４が青色光発光のものである場合には、赤色蛍光体には、ＣａＡｌＳｉＮ３：Ｅｕ２＋、Ｃａ２Ｓｉ５Ｎ８：Ｅｕ２＋、ＫＳｉＦ６：Ｍｎ４＋、ＫＴｉＦ６：Ｍｎ４＋等を用いることができ、黄色蛍光体には、Ｙ３Ａｌ５Ｏ１２：Ｃｅ３＋  （ＹＡＧ）、（Ｓｒ，Ｂａ）２ＳｉＯ４：Ｅｕ２＋、Ｃａｘ（Ｓｉ，Ａｌ）１２（Ｏ，Ｎ）１６：Ｅｕ２＋等を用いることができ、緑色蛍光体には、Ｙ３（Ｇａ，Ａｌ）５Ｏ１２：Ｃｅ３＋、Ｃａ３Ｓｃ２Ｓｉ３Ｏ１２：Ｃｅ３＋、ＣａＳｃ２Ｏ４：Ｅｕ２＋、（Ｂａ，Ｓｒ）２ＳｉＯ４：Ｅｕ２＋、Ｂａ３Ｓｉ６Ｏ１２Ｎ２：Ｅｕ２＋、（Ｓｉ，Ａｌ）６（Ｏ，Ｎ）：Ｅｕ２＋等を用いることができる。
【００２７】
各蛍光体Ｈ１１〜Ｈ４４としては、これらの蛍光体粉末をガラス中に分散させたものや透明な樹脂（例えばシリコーン樹脂）中に分散させたものを用いることができる。
【００２８】
また、図４（ａ），（ｂ）を参照すると、各発光素子Ｆ１１〜Ｆ４４は、集積基板１２に形成されている配線パターン１３上に実装されている。集積基板１２には、各発光素子Ｆ１１〜Ｆ４４および各蛍光体Ｈ１１〜Ｈ４４で発生する熱を放熱するために、窒化アルミ等の絶縁性の高熱伝導率材料が用いられるのが好ましく、また、配線パターン１３には、銅や銀等の金属が用いられるのが好ましい。
【００２９】
上記のような構成の光源装置１では、各発光部Ａ１１〜Ａ４４には、同じ温度特性および同じ発光特性を有し、紫外光から可視光までの波長領域のうちの所定の波長の光を発光する発光素子Ｆ１１〜Ｆ４４が用いられているので（すなわち、同じ温度特性を有する発光素子を各色に用いたことにより温度特性をほぼ等しくできるため）、連続点灯して温度が上昇した場合にも、発光全体の色バランスが変化してしまうのを防止でき、色ムラ、照度ムラの変化を回避できる。また、赤色等を蛍光体で発光させることにより、赤色発光の発光素子にて赤色を得る場合に比べて、温度上昇時の光束低下を少なくすることができる。
【００３０】
具体的に、図６には、ある色温度の白色光を得るために必要な各色部担当の発光素子（ＬＥＤ）の消費電流の実験データが示されており、図６からわかるように、各色について、青色（Ｂ）、黄色（Ｙ）、緑色（Ｇ）、赤色（Ｒ）の発光素子（ＬＥＤ）を用いる場合には、青色（Ｂ）、黄色（Ｙ）、緑色（Ｇ）、赤色（Ｒ）の発光素子（ＬＥＤ）の順に消費電流が急に大きくなり、したがって、この順に、発熱量も急に大きくなる（温度特性が著しくばらつき、連続点灯して温度が上昇した場合に、発光全体の色バランスが大きく変化してしまう）。これに対して、本発明では、各色について同じ温度特性を有する発光素子を用いたことにより温度特性をほぼ等しくできるため、連続点灯して温度が上昇した場合にも、発光全体の色バランスが変化してしまうのを防止でき、色ムラ、照度ムラの変化を回避できる。。
【００３１】
また、図４（ａ），（ｂ）のように集積基板１２上に必要な色の発光部を実装することにより、各色間の間隔を狭くでき、各色間の間隔を狭くできることによって同じ明るさを得るための発光部範囲を狭くできるので、この光源装置１を照明機器などに用いる場合に、照明機器などの小型化が可能となり、また、色の混合にレンズやリフレクタを用いる場合に、光学部品の小型化を図ることができる。
【００３２】
また、紫外光や青色光の短波長によって各蛍光体Ｈ１１〜Ｈ４４を蛍光発光させるとき、蛍光発光が長波長の蛍光体ほど、蛍光体での発熱は多くなる。これは、長波長の蛍光発光と短波長の光との波長差が大きくなる程、この波長差に応じて放出される熱エネルギーが大きくなるためである。従って、蛍光発光が長波長の蛍光体ほど（例えば赤色蛍光体ほど）、蛍光体での発熱は多くなる。一方、蛍光発光の波長が赤色蛍光体よりも短い例えば青色蛍光体は、発熱は少ない。また、蛍光発光の波長が赤色蛍光体と青色蛍光体との間にある黄色蛍光体や緑色蛍光体は、青色蛍光体よりも発熱は多いが、赤色蛍光体よりも発熱は少ない。
【００３３】
本発明では、Ｎ×Ｍ（Ｎ≧３、Ｍ≧３）の２次元配列の発光部Ａにおいて、上述したように、青色蛍光体が用いられる場合には発熱の少ない青色蛍光体を中心部に配置し、発熱が多く温度特性の良くない赤色蛍光体を隅部に配置し、また、赤色蛍光体に準じて発熱が多い黄色蛍光体や緑色蛍光体を周辺部（隅部を除く周辺部）に配置することにより、光源装置１内で温度の均一化を図ることができ、効率良く放熱をすることができる。すなわち、上記のような配置でない場合は、蛍光体や発光素子の温度特性により、例えばある色温度の白色で点灯している場合、色温度が低下したり、色が変化してしまうことがあるが、上記のような配置では、このような事態が生じるのを低減することができる。
【００３４】
図７（ａ），（ｂ）、図８（ａ），（ｂ），（ｃ）には、図５の蛍光体Ｈ１１〜Ｈ４４の配置例が示されている。なお、以下の説明では、便宜上、各発光素子Ｆ１１〜Ｆ４４が紫外光発光のものであり、２次元配列の発光部Ａ１１〜Ａ４４のうちの中心部の発光部Ａ２２、Ａ２３、Ａ３２、Ａ３３には、蛍光体Ｈ２２、Ｈ２３、Ｈ３２、Ｈ３３として、青色蛍光体が用いられるとする。
【００３５】
図７（ａ），（ｂ）、図８（ａ），（ｂ），（ｃ）の例では、いずれも、中心部の蛍光体Ｈ２２、Ｈ２３、Ｈ３２、Ｈ３３として青色蛍光体（Ｂ）を用い、隅部の蛍光体Ｈ１１、Ｈ１４、Ｈ４１、Ｈ４４として赤色蛍光体（Ｒ）を用い、隅部を除く周辺部の蛍光体Ｈ１２、Ｈ１３、Ｈ２１、Ｈ２４、Ｈ３１、Ｈ３４、Ｈ４２、Ｈ４３として黄色蛍光体（Ｙ）や緑色蛍光体（Ｇ）を用いている。これにより、上述したように、光源装置１内で温度の均一化を図ることができ、効率良く放熱をすることができる。そして、図７（ａ），（ｂ）、図８（ａ），（ｂ），（ｃ）の例では、蛍光体Ｈ１１〜Ｈ４４として、青色蛍光体（Ｂ）、赤色蛍光体（Ｒ）、黄色蛍光体（Ｙ）、緑色蛍光体（Ｇ）を、それぞれ４つずつ用いているので、これらの混色として、色バランスのとれた白色光を得ることが可能となっている。
【００３６】
特に、図７（ａ），（ｂ）の例は、図８（ａ），（ｂ），（ｃ）の例に比べて、黄色蛍光体（Ｙ）、緑色蛍光体（Ｇ）が均等に分散配置されているので、効率良く放熱する上で最も有利である。また、例えば光源装置１を単色発光（例えば、緑色蛍光体を設けた発光部のみ点灯）させる場合においても、同色の複数の発光部が集積基板上に均等に分散配置されていることから、同色の複数の発光部のうち特定の発光部のみが（近距離になることで偏って）温度上昇をすることがなく、光源装置１内における温度の均一化が可能となる。また、光源装置１を複数種色発光させる場合において、同色の複数の発光部が均等に分散配置されていることにより、発光全体の色バランスがとれ、より混色性が高まる。
【００３７】
また、本発明において、前記２次元配列の発光部のうちの同色の発光部に設けられた発光素子は、電気的に直列に接続されているのが良い（すなわち、同一の配線パターン１３に接続されているのが良い）。例えば、図７（ａ）を例にとると、青色蛍光体（Ｂ）に対応した発光素子は電気的に直列に接続され、また、赤色蛍光体（Ｒ）に対応した発光素子は電気的に直列に接続され、また、黄色蛍光体（Ｙ）に対応した発光素子は電気的に直列に接続され、また、緑色蛍光体（Ｇ）に対応した発光素子は電気的に直列に接続されているのが良い。このように、前記２次元配列の発光部のうちの同色の発光部に設けられた発光素子が電気的に直列に接続されていることにより、個々の色の調整が可能となる。
【００３８】
なお、上述した各例では、２次元配列が４×４である場合について説明したが、２次元配列としてはＮ×Ｍ（Ｎ≧３、Ｍ≧３）であれば、任意の２次元配列をとることができる。この場合、周辺部の発光部のうちの隅部以外の発光部には、少なくとも１種類の蛍光体（例えば黄色蛍光体や緑色蛍光体など）が用いられる。また、光源装置の発光部がＮ×Ｍ（Ｍ＝Ｎ、Ｎ≧３）の２次元配列で配置されているときに、前記少なくとも１種類の蛍光体のうちの同じ種類の蛍光体または同じ種類の蛍光体群は、前記２次元配列の発光部において、均等に分散配置されているのが、効率良く放熱する上で最も有利である。
【００３９】
また、上述した例では、各発光素子がＡｌｘＩｎｙＧａｚＮ（０≦ｘ≦１、０≦ｙ≦１、０≦ｚ≦１、ｘ＋ｙ＋ｚ＝１）系のＬＥＤであるとしたが、各発光素子としては、紫外光から可視光までの波長領域のうちの所定の波長の光を発光するものであれば、任意のものを用いることができる（例えば２次元アレイの面発光レーザ（ＶＣＳＥＬ）などを用いることもできる）。
【産業上の利用可能性】
【００４０】
本発明は、ディスプレイや照明機器などに利用可能である。
【符号の説明】
【００４１】
１            光源装置
１０          枠体
１２          集積基板
１３          配線パターン
Ａ１１〜Ａ４４          発光部
Ｆ１１〜Ｆ４４          発光素子
Ｈ１１〜Ｈ４４          蛍光体
【図１】
2013164898.tif 000003
【図２】
2013164898.tif 000004
【図３】
2013164898.tif 000005
【図４】
2013164898.tif 000006
【図５】
2013164898.tif 000007
【図６】
2013164898.tif 000008
【図７】
2013164898.tif 000009
【図８】
2013164898.tif 000010